(57)【要約】【課題】テナント側管理者の負担を低減した状態で、管理者が求めるコスト低減が実現できるようにする。【解決手段】利用者識別情報記憶部１０１は、利用者の識別情報を権限情報と共に記憶している。権限情報としては、一般および管理者などが設定されている。受付部１０２は、時間外運転要求を利用者の識別情報と共に受け付ける。権限取得部１０３は、受付部１０２が受け付けた識別情報に対応する権限情報を利用者識別情報記憶部１０１より取得する。要求制限部１０４は、権限取得部１０３が取得した権限情報を元に受付部１０２で受け付けた時間外運転要求を制限して受理する。【選択図】  図１
2017083086.tif 000002
【特許請求の範囲】
【請求項１】
利用者の識別情報が権限情報と共に記憶された利用者識別情報記憶部と、
時間外運転要求を利用者の識別情報と共に受け付ける受付部と、
前記受付部が受け付けた識別情報に対応する権限情報を前記利用者識別情報記憶部より取得する権限取得部と、
前記権限取得部が取得した権限情報を元に前記受付部で受け付けた時間外運転要求の受理を制限する要求制限部と、
管理対象の空調設備の設定されている発停計画と前記要求制限部で受理された時間外運要求とにより管理対象の空調設備の発停を制御する稼働制御部と
を備えることを特徴とする運転管理装置。
【請求項２】
請求項１記載の運転管理装置において、
前記権限情報は、一般および管理者のいずれかとされ、
前記要求制限部は、
権限情報が一般とされ、かつ要求されている時間外運転の時間が設定されている上限時間を超えない範囲とされている時間外運転要求を受理し、
権限情報が一般とされ、かつ要求されている時間外運転の時間が設定されている上限時間を超えている時間外運転要求は、権限情報が管理者とされている利用者の承認が前記受付部で受け付けられると受理する
ことを特徴とする運転管理装置。
【請求項３】
請求項１記載の運転管理装置において、
前記権限情報は、一般および管理者のいずれかとされ、
前記要求制限部は、
権限情報が一般とされている時間外運転要求は、１回の要求受け付け毎に設定されている時間で受理する
ことを特徴とする運転管理装置。
【請求項４】
請求項１記載の運転管理装置において、
前記権限情報は、一般および管理者のいずれかとされ、
前記要求制限部は、
権限情報が一般とされ、かつ要求されている時間外運転の時間帯が同一の時間外運転要求の数が設定されている要求数を超えた時間外運転要求を受理し、
権限情報が一般とされ、かつ要求されている時間外運転の時間帯が同一の時間外運転要求の数が設定されている要求数を超えていない時間外運転要求は、権限情報が管理者とされている利用者の承認が前記受付部で受け付けられると受理する
ことを特徴とする運転管理装置。
【発明の詳細な説明】
【技術分野】
【０００１】
本発明は、空調機などの設備の運転を管理する運転管理装置に関する。
【背景技術】
【０００２】
一般に、複数のテナントを収用する商業施設など、大規模な建築物においては、賃料の中で一定時間の空調を行っているが、テナントからの要求により、時間外の空調も実施している。 例えば、テナントからの空調時間変更要求（時間外運転の要求）を受け付けると、要求された時刻に基づいて空調機の起動および停止のスケジュールを変更する（特許文献１参照）。
【先行技術文献】
【特許文献】
【０００３】
【特許文献１】特開２０１０−１６９３６０号公報
【発明の概要】
【発明が解決しようとする課題】
【０００４】
ところで、上述したような時間外の空調については、新たな費用が請求される。空調の時間外運転については、例えば、運転時間数やエネルギー量などに応じて費用が請求（課金）される。このため、テナント側では、特にテナント側の管理者においては、コスト抑制の観点から、空調の時間外運転の管理が重要となる。
【０００５】
このような時間外運転はテナント側からの要求に基づいて実施されるが、テナント側からの要求には、テナント側の管理者による要求に限らず、テナント側の一般的な利用者（社員）からの要求もある。一般の利用者からの要求を直接受け付ける場合、管理者による管理が困難となり、コストの抑制が困難となる。これに対し、一般の利用者からの要求を管理者が受け付け、実際の時間外運転の要求は管理者により実施することで、コストを考慮した運用が可能となる。しかしながら、この場合、管理者の負担が大きくなり、また、一般の利用者からの要求が出されてから、実際に要求が受け付けられるまでに時間を要することになる。
【０００６】
本発明は、以上のような問題点を解消するためになされたものであり、テナント側管理者の負担を低減した状態で、管理者が求めるコスト低減が実現できるようにすることを目的とする。
【課題を解決するための手段】
【０００７】
本発明に係る運転管理装置は、利用者の識別情報が権限情報と共に記憶された利用者識別情報記憶部と、時間外運転要求を利用者の識別情報と共に受け付ける受付部と、受付部が受け付けた識別情報に対応する権限情報を利用者識別情報記憶部より取得する権限取得部と、権限取得部が取得した権限情報を元に受付部で受け付けた時間外運転要求の受理を制限する要求制限部と、管理対象の空調設備の設定されている発停計画と要求制限部で受理された時間外運要求とにより管理対象の空調設備の発停を制御する稼働制御部とを備える。
【０００８】
上記運転管理装置において、権限情報は、一般および管理者のいずれかとされ、要求制限部は、権限情報が一般とされ、かつ要求されている時間外運転の時間が設定されている上限時間を超えない範囲とされている時間外運転要求を受理し、権限情報が一般とされ、かつ要求されている時間外運転の時間が設定されている上限時間を超えている時間外運転要求は、権限情報が管理者とされている利用者の承認が受付部で受け付けられると受理する。
【０００９】
上記運転管理装置において、権限情報は、一般および管理者のいずれかとされ、要求制限部は、権限情報が一般とされている時間外運転要求は、１回の要求受け付け毎に設定されている時間で受理する。
【００１０】
上記運転管理装置において、権限情報は、一般および管理者のいずれかとされ、要求制限部は、権限情報が一般とされ、かつ要求されている時間外運転の時間帯が同一の時間外運転要求の数が設定されている要求数を超えた時間外運転要求を受理し、権限情報が一般とされ、かつ要求されている時間外運転の時間帯が同一の時間外運転要求の数が設定されている要求数を超えていない時間外運転要求は、権限情報が管理者とされている利用者の承認が受付部で受け付けられると受理する。
【発明の効果】
【００１１】
以上説明したことにより、本発明によれば、テナント側管理者の負担を低減した状態で、管理者が求めるコスト低減が実現できるという優れた効果が得られる。
【図面の簡単な説明】
【００１２】
【図１】図１は、本発明の実施の形態１における運転管理装置の構成を示す構成図である。
【図２】図２は、本発明の実施の形態１における運転管理装置の動作例を説明するためのフローチャートである。
【図３】図３は、本発明の実施の形態２における運転管理装置の構成を示す構成図である。
【図４】図４は、本発明の実施の形態３における運転管理装置の動作例を説明するためのフローチャートである。
【図５】図５は、本発明の実施の形態３における運転管理装置の構成を示す構成図である。
【図６】図６は、本発明の実施の形態３における運転管理装置の動作例を説明するためのフローチャートである。
【発明を実施するための形態】
【００１３】
以下、本発明の実施の形態について図を参照して説明する。
【００１４】
［実施の形態１］
はじめに、本発明の実施の形態１について、図１を用いて説明する。図１は、本発明の実施の形態１における運転管理装置１００の構成を示す構成図である。運転管理装置１００は、利用者識別情報記憶部１０１、受付部１０２、権限取得部１０３、要求制限部１０４、稼働制御部１０５を備え、管理対象の空調設備１５０の稼働を制御する。
【００１５】
利用者識別情報記憶部１０１は、利用者の識別情報を権限情報と共に記憶している。権限情報としては、一般および管理者などが設定されている。受付部１０２は、時間外運転要求を利用者の識別情報と共に受け付ける。権限取得部１０３は、受付部１０２が受け付けた識別情報に対応する権限情報を利用者識別情報記憶部１０１より取得する。
【００１６】
要求制限部１０４は、権限取得部１０３が取得した権限情報を元に受付部１０２で受け付けた時間外運転要求を制限して受理する。要求制限部１０４では、権限確認機能部１０４ａが、受付部１０２で受け付けた識別情報に対応する権限情報を確認する。この実施の形態において、権限確認機能部１０４ａは、受け付けた識別情報に対応する権限情報が、一般であるか管理者であるかを確認する。
【００１７】
また、要求制限部１０４では、時間確認機能部１０４ｂが、権限情報が一般とされている識別情報で受け付けられた時間外運転要求による運転時間が、設定されている上限時間を超えていないことを確認する。時間確認機能部１０４ｂには、一定期間内で利用可能な時間外運転時間の上限が設定されており、時間確認機能部１０４ｂは、同一識別情報で受け付けた時間外運転要求の総時間が、この上限を超えているかどうかを確認する。また、要求制限部１０４では、要求受理機能部１０４ｃが、時間確認機能部１０４ｂにより運転時間が設定されている上限時間を超えていないことが確認された時間外運転要求を受理する。
【００１８】
一方、時間確認機能部１０４ｂが、権限情報が一般とされている識別情報で受け付けられた時間外運転要求による運転時間が、設定されている上限時間を超えていることを確認すると、要求受理機能部１０４ｃは、この要求の受理を保留する。この場合、要求受理機能部１０４ｃは、承認受付機能部１０４ｄにより、権限情報が管理者とされている利用者の承認が受付部１０２で受け付けられるのを確認すると、運転時間が上限を超えている時間外運転要求を受理する。
【００１９】
上述したように、この実施の形態では、要求制限部１０４は、権限情報が一般とされ、かつ要求されている時間外運転の時間が設定されている上限時間を超えない範囲とされている時間外運転要求を受理し、権限情報が一般とされ、かつ要求されている時間外運転の時間が設定されている上限時間を超えている時間外運転要求は、権限情報が管理者とされている利用者の承認が受付部１０２で受け付けられると受理する。
【００２０】
稼働制御部１０５は、空調設備１５０に関して設定されている発停計画と、上述したようにして要求制限部１０４で受理された時間外運要求とにより管理対象の空調設備１５０の発停を制御する。
【００２１】
次に、本発明の実施の形態１における運転管理装置の動作例について、図２のフローチャートを用いて説明する。
【００２２】
まず、ステップＳ１０１で、受付部１０２が時間外運転要求の受け付けをする。受付部１０２が時間外運転要求を受け付けると（ステップＳ１０１のｙ）、ステップＳ１０２で、権限取得部１０３が、受付部１０２が時間外運転要求と共に受け付けた識別情報に対応する権限情報を、利用者識別情報記憶部１０１より取得する。
【００２３】
次に、ステップＳ１０３で、権限確認機能部１０４ａが、受付部１０２で受け付けた識別情報に対応する権限情報が一般であることを確認する。権限確認機能部１０４ａが、受け付けた識別情報に対応する権限情報が、一般であることを確認すると（ステップＳ１０３のｙ）、ステップＳ１０４で、時間確認機能部１０４ｂが、受付部１０２で受け付けた時間外運転要求の運転時間が設定されている上限時間を超えていないことを確認する。
【００２４】
時間確認機能部１０４ｂが、受付部１０２で受け付けた時間外運転要求の運転時間が設定されている上限時間を超えていないことを確認すると（ステップＳ１０４ａのｙ）、ステップＳ１０５で、要求受理機能部１０４ｃが、受け付けた時間外要求を受理する。
【００２５】
一方、時間確認機能部１０４ｂが、権限情報が一般とされている識別情報で受け付けられた時間外運転要求による運転時間が、設定されている上限時間を超えていることを確認すると（ステップＳ１０４のｎ）、要求受理機能部１０４ｃは、この要求の受理を保留する。この場合、ステップＳ１０６およびステップＳ１０７で、承認受付機能部１０４ｄが、設定されている時間内、権限情報が管理者とされている利用者の承認が受付部１０２で受け付けられるのを待機する。
【００２６】
設定されている時間内に承認受付機能部１０４ｄが、管理者とされている利用者の承認が受付部１０２で受け付けられたことを確認すると（ステップＳ１０６のｙ）、ステップＳ１０５で、要求受理機能部１０４ｃが、受け付けた時間外要求を受理する。なお、権限確認機能部１０４ａが、受付部１０２で受け付けた識別情報に対応する権限情報が一般ではなく（ステップＳ１０３のｎ）、管理者であることを確認すると（ステップＳ１０８のｙ）、ステップＳ１０５で、要求受理機能部１０４ｃが、受け付けた時間外要求を受理する。これに対し、権限確認機能部１０４ａが、受付部１０２で受け付けた識別情報に対応する権限情報が一般ではなく（ステップＳ１０３のｎ）、管理者でもないことを確認すると（ステップＳ１０８のｎ）、要求制限部１０４は、要求を受理せず、処理を終了する。
【００２７】
以上に説明したように、本発明の実施の形態１によれば、権限情報が一般とされている場合、設定されている上限時間を超えない範囲で時間外運転要求を受理し、設定されている上限時間を超えた場合、権限情報が管理者とされている利用者の承認が受け付けられると時間外運転要求を受理するようにした。この結果、設定されている時間内は、一般の利用者の要求であっても、管理者の承認を必要とせずに時間外要求が受理されるので、テナント側管理者の負担が低減できる。一方、上限時間を超える場合は、管理者の承認が必要となるので、管理者が求めるコスト低減が実現できる。
【００２８】
［実施の形態２］
次に、本発明の実施の形態２について、図３を用いて説明する。図３は、本発明の実施の形態２における運転管理装置２００の構成を示す構成図である。運転管理装置２００は、利用者識別情報記憶部１０１、受付部１０２、権限取得部１０３、要求制限部２０４、稼働制御部１０５を備え、管理対象の空調設備１５０の稼働を制御する。
【００２９】
利用者識別情報記憶部１０１は、利用者の識別情報を権限情報と共に記憶している。権限情報としては、一般および管理者などが設定されている。受付部１０２は、時間外運転要求を利用者の識別情報と共に受け付ける。権限取得部１０３は、受付部１０２が受け付けた識別情報に対応する権限情報を利用者識別情報記憶部１０１より取得する。
【００３０】
要求制限部２０４は、権限取得部１０３が取得した権限情報を元に受付部１０２で受け付けた時間外運転要求を制限して受理する。要求制限部２０４では、権限確認機能部２０４ａが、受付部１０２で受け付けた識別情報に対応する権限情報を確認する。この実施の形態において、権限確認機能部２０４ａは、受け付けた識別情報に対応する権限情報が、一般であるか管理者であるかを確認する。
【００３１】
また、要求制限部２０４では、要求受理機能部２０４ｂが、１回の要求受け付けでは、設定されている時間（運転時間）を時間外運転要求として受理する。要求制限部２０４は、権限情報が一般とされている時間外運転要求は、１回の要求受け付け毎に設定されている時間で受理する。要求制限部２０４では、時間外運転要求について、時間外に運転することについては要求を受け付けるが、運転時間については、要求を受け付けない。要求受理機能部２０４ｂは、時間外運転要求を受け付けると、この受け付けにおいては、例えば、設定されている１時間だけの運転延長を受理する。
【００３２】
稼働制御部１０５は、空調設備１５０に関して設定されている発停計画と、上述したようにして要求制限部２０４で受理された時間外運要求（運転延長時間）とにより管理対象の空調設備１５０の発停を制御する。
【００３３】
次に、本発明の実施の形態２における運転管理装置の動作例について、図２のフローチャートを用いて説明する。
【００３４】
まず、ステップＳ１０１で、受付部１０２が時間外運転要求の受け付けをする。受付部１０２が時間外運転要求を受け付けると（ステップＳ１０１のｙ）、ステップＳ１０２で、権限取得部１０３が、受付部１０２が時間外運転要求と共に受け付けた識別情報に対応する権限情報を、利用者識別情報記憶部１０１より取得する。
【００３５】
次に、ステップＳ１０３で、権限確認機能部２０４ａが、受付部１０２で受け付けた識別情報に対応する権限情報が一般であることを確認する。権限確認機能部２０４ａが、受け付けた識別情報に対応する権限情報が、一般であることを確認すると（ステップＳ１０３のｙ）、ステップＳ２０１で、要求受理機能部２０４ｂが、１回の要求受け付けでは、設定されている時間（例えば１時間）を時間外運転要求として受理する。
【００３６】
一方、権限確認機能部２０４ａが、受付部１０２で受け付けた識別情報に対応する権限情報が一般ではなく（ステップＳ１０３のｎ）、管理者であることを確認すると（ステップＳ２０２のｙ）、ステップＳ２０３で、要求受理機能部２０４ｂが、受け付けた時間外要求を受理する。この場合、要求制限部２０４は、時間外運転要求について、時間外に運転することに加え、運転時間の要求も受け付ける。なお、権限確認機能部２０４ａが、受付部１０２で受け付けた識別情報に対応する権限情報が一般ではなく（ステップＳ１０３のｎ）、管理者でもないことを確認すると（ステップＳ２０２のｎ）、要求制限部２０４は、要求を受理せず、処理を終了する。
【００３７】
以上に説明したように、本発明の実施の形態２によれば、権限情報が一般とされている場合、１回の要求受け付けでは、設定されている時間（運転時間）を時間外運転要求として受理するようにした。この結果、管理者承認が無い利用者の時間外運転要求は、延長される運転時間が制限されるようになる。このように、本実施の形態によれば、テナント側管理者の負担を低減した状態で、管理者が求めるコスト低減が実現できるようになる。
【００３８】
［実施の形態３］
次に、本発明の実施の形態３について図５を用いて説明する。図５は、本発明の実施の形態３における運転管理装置３００の構成を示す構成図である。運転管理装置３００は、利用者識別情報記憶部１０１、受付部１０２、権限取得部１０３、要求制限部３０４、稼働制御部１０５を備え、管理対象の空調設備１５０の稼働を制御する。
【００３９】
利用者識別情報記憶部１０１は、利用者の識別情報を権限情報と共に記憶している。権限情報としては、一般および管理者などが設定されている。受付部１０２は、時間外運転要求を利用者の識別情報と共に受け付ける。権限取得部１０３は、受付部１０２が受け付けた識別情報に対応する権限情報を利用者識別情報記憶部１０１より取得する。
【００４０】
要求制限部３０４は、権限取得部１０３が取得した権限情報を元に受付部１０２で受け付けた時間外運転要求を制限して受理する。要求制限部３０４では、権限確認機能部３０４ａが、受付部１０２で受け付けた識別情報に対応する権限情報を確認する。この実施の形態において、権限確認機能部３０４ａは、受け付けた識別情報に対応する権限情報が、一般であるか管理者であるかを確認する。
【００４１】
また、要求制限部３０４では、要求数集計機能部３０４ｂが、権限情報が一般とされて受け付けた時間外運転要求の中で、同一の時間帯とされている要求数を集計する。例えば、時間外運転要求による時間帯が、１７時〜１８時とされている要求数、１９時〜２０時とされている要求数、２０時〜２１時とされている要求数を各々集計する。また、複数の空調対象領域が存在する場合、空調対象の領域毎に集計する。
【００４２】
また、要求制限部３０４では、要求数確認機能部３０４ｃが、要求数集計機能部３０４ｂによる集計の中で、設定されている要求数を超えている時間帯を確認する。複数の空調対象領域が存在する場合には、空調対象の領域毎に確認する。また、要求制限部３０４では、要求受理機能部３０４ｄが、要求数確認機能部３０４ｃにより設定されている要求数を超えている時間帯と確認された時間外運転要求を受理する。
【００４３】
一方、要求数確認機能部３０４ｃにより設定されている要求数を超えていない時間帯と確認された時間外運転要求は、保留される。この場合、要求受理機能部３０４ｄは、承認受付機能部３０４ｅにより、権限情報が管理者とされている利用者の承認が受付部１０２で受け付けられるのを確認すると、要求数を超えていない時間帯の時間外運転要求を受理する。
【００４４】
上述したように、この実施の形態では、要求制限部３０４は、権限情報が一般とされ、かつ要求されている時間外運転の時間帯が同一の時間外運転要求の数が設定されている要求数を超えた時間外運転要求を受理する。一方、要求制限部３０４は、権限情報が一般とされ、かつ要求されている時間外運転の時間帯が同一の時間外運転要求の数が設定されている要求数を超えていない（要求数以下の）時間外運転要求は、権限情報が管理者とされている利用者の承認が受付部１０２で受け付けられると受理する。
【００４５】
稼働制御部１０５は、空調設備１５０に関して設定されている発停計画と、上述したようにして要求制限部３０４で受理された時間外運要求とにより管理対象の空調設備１５０の発停を制御する。
【００４６】
次に、本発明の実施の形態３における運転管理装置の動作例について、図６のフローチャートを用いて説明する。
【００４７】
まず、ステップＳ１０１で、受付部１０２が時間外運転要求の受け付けをする。受付部１０２が時間外運転要求を受け付けると（ステップＳ１０１のｙ）、ステップＳ１０２で、権限取得部１０３が、受付部１０２が時間外運転要求と共に受け付けた識別情報に対応する権限情報を、利用者識別情報記憶部１０１より取得する。
【００４８】
次に、ステップＳ１０３で、権限確認機能部３０４ａが、受付部１０２で受け付けた識別情報に対応する権限情報が一般であることを確認する。権限確認機能部３０４ａが、受け付けた識別情報に対応する権限情報が、一般であることを確認すると（ステップＳ１０３のｙ）、ステップＳ３０１で、要求数集計機能部３０４ｂが、設定されている時間の間、権限情報が一般とされた時間外運転要求を受け付ける。設定されている時間が経過すると（ステップＳ３０１のｙ）、ステップＳ３０２で、要求数集計機能部３０４ｂが、同一の時間帯とされている要求数を集計する。複数の空調対象領域が存在する場合、空調対象の領域毎に集計する。
【００４９】
次に、ステップＳ３０３で、要求数確認機能部３０４ｃが、要求数集計機能部３０４ｂによる集計の中で、設定されている要求数を超えている時間帯を確認する。複数の空調対象領域が存在する場合には、空調対象の領域毎に確認する。要求数確認機能部３０４ｃにより設定されている要求数を超えている時間帯が確認されると（ステップＳ３０３のｙ）、ステップＳ３０４で、要求受理機能部３０４ｄが、確認された時間外運転要求を受理する。
【００５０】
一方、要求数確認機能部３０４ｃにより設定されている要求数を超えていない時間帯と確認された時間外運転要求は、保留される。この場合、ステップＳ３０５およびステップＳ３０６で、承認受付機能部３０４ｅが、設定されている時間内、権限情報が管理者とされている利用者の承認が受付部１０２で受け付けられるのを待機する。
【００５１】
設定されている時間内に承認受付機能部３０４ｅが、管理者とされている利用者の承認が受付部１０２で受け付けられたことを確認すると（ステップＳ３０５のｙ）、ステップＳ３０４で、要求受理機能部３０４ｄが、受け付けた時間外要求を受理する。なお、権限確認機能部３０４ａが、受付部１０２で受け付けた識別情報に対応する権限情報が一般ではなく（ステップＳ１０３のｎ）、管理者であることを確認すると（ステップＳ３０７のｙ）、ステップＳ３０４で、要求受理機能部３０４ｄが、受け付けた時間外要求を受理する。これに対し、権限確認機能部３０４ａが、受付部１０２で受け付けた識別情報に対応する権限情報が一般ではなく（ステップＳ１０３のｎ）、管理者でもないことを確認すると（ステップＳ３０７のｎ）、要求制限部３０４は、要求を受理せず、処理を終了する。
【００５２】
以上に説明したように、本発明の実施の形態３によれば、権限情報が一般とされている場合、要求されている時間外運転の時間帯が同一の時間外運転要求の数が設定されている要求数を超えた時間外運転要求を受理し、要求されている時間外運転の時間帯が同一の時間外運転要求の数が設定されている要求数を超えていない時間外運転要求は、権限情報が管理者とされている利用者の承認が前記受付部で受け付けられると受理するようにした。
【００５３】
この結果、利用者の多い時間帯の時間外運転要求は、一般の利用者の要求であっても、管理者の承認を必要とせずに時間外要求が受理されるので、テナント側管理者の負担が低減できる。一方、利用者が少ない時間帯では、管理者の承認が必要となるので、管理者が求めるコスト低減が実現できる。
【００５４】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００５５】
１００…運転管理装置、１０１…利用者識別情報記憶部、１０２…受付部、１０３…権限取得部、１０４…要求制限部、１０４ａ…権限確認機能部、１０４ｂ…時間確認機能部、１０４ｃ…要求受理機能部、１０４ｄ…承認受付機能部、１０５…稼働制御部、１５０…空調設備、２００…運転管理装置、２０４…要求制限部、２０４ａ…権限確認機能部、２０４ｂ…要求受理機能部、３００…運転管理装置、３０４ａ…権限確認機能部、３０４ｂ…要求数集計機能部、３０４ｃ…要求数確認機能部、３０４ｄ…要求受理機能部、３０４ｅ…承認受付機能部。
【図１】
2017083086.tif 000003
【図２】
2017083086.tif 000004
【図３】
2017083086.tif 000005
【図４】
2017083086.tif 000006
【図５】
2017083086.tif 000007
【図６】
2017083086.tif 000008